(57)【要約】      （修正有）【課題】簡易な構成で、しかも、操作性に優れた発射玩具を提供する。【解決手段】発射玩具１００は、発射体５０と、前記発射体５０を装填するための装填部を有する玩具本体１０と、前記玩具本体１０に指によって操作可能に設けられ、且つ、人為的な操作によって、前記装填部に装填された前記発射体５０を押圧して当該玩具本体１０の前方に発射させる押進部材とを備える。そして、前記押進部材は、前記装填部に対して進退可能で、常態では、当該装填部から退行した押進待機状態を自重によって取るように構成され、指による操作によって、当該装填部に侵入し、当該装填部に装填された前記発射体５０を押圧する。これによって、簡易な構成で、しかも、操作性に優れた発射玩具が実現できる。【選択図】図１
0003187415.tif 000002
【実用新案登録請求の範囲】
【請求項１】
発射体と、前記発射体を装填するための装填部を有する玩具本体と、前記玩具本体に人為的に操作可能に設けられ、且つ、人為的な操作によって、前記装填部に装填された前記発射体を押圧して当該玩具本体の前方に発射させる押進部材とを備え、
前記押進部材は、
前記装填部に対して進退可能で、常態では、当該装填部から退行した押進待機状態を自重によって取るように構成され、人為的な操作によって、当該装填部に進出し、当該装填部に装填された前記発射体を押圧するように構成されていることを特徴とする発射玩具。
【請求項２】
発射体と、前記発射体を装填するための装填部を有する玩具本体と、前記玩具本体に人為的に操作可能に設けられ、且つ、人為的な操作によって、前記装填部に装填された前記発射体を押圧して当該玩具本体の前方に発射させる押進部材とを備え、
前記押進部材は、
前記装填部に対して進退可能で、常態では、当該装填部に進出した状態を自重によって取るように構成され、前記発射体が前記装填部へ装填される際の当該発射体の摺接によって、当該装填部から退行した押進待機状態を取り、その後の人為的な操作によって、当該装填部に進出し、当該装填部に装填された前記発射体を押圧するように構成されていることを特徴とする発射玩具。
【請求項３】
前記装填部には、前記発射体の自重によって当該発射体が装填されるように構成されていることを特徴とする請求項２に記載の発射玩具。
【請求項４】
前記発射体を弾き出す弾き片を少なくとも１つ備え、前記弾き片は、前記押進部材によって押圧された前記発射体の初期移動に伴う当該発射体の摺接によって弾性変形し、当該押進部材によって押圧された当該発射体のさらなる移動に伴う弾性復帰力よって当該発射体を弾き出すことを特徴とする請求項１から３いずれか一項に記載の発射玩具。
【請求項５】
前記押進部材は、所定の水平軸を中心に回動可能な振り子として構成されていることを特徴とする請求項１から４いずれか一項に記載の発射玩具。
【請求項６】
前記押進部材は、側面視で扇状に形成され、扇の要に相当する部分で所定の水平軸を中心に回動可能となっており、扇の一辺側に相当する部分に操作部が形成され、押進待機状態にあるとき、前記操作部は、水平、又は自由端側に向けて下り勾配となっていることを特徴とする請求項５に記載の発射玩具。
【請求項７】
前記押進部材は、人為的な操作によって、前記操作部が鉛直となる位置まで回動可能に構成されていることを特徴とする請求項６に記載の発射玩具。
【考案の詳細な説明】
【技術分野】
【０００１】
本考案は、発射玩具に関する。
【背景技術】
【０００２】
従来、発射体と、この発射体を装填するための装填部を有する玩具本体とを備え、玩具本体に押進部材が設けられ、この押進部材の人為的な操作によって、装填部に装填された発射体を押圧して当該玩具本体の前方に発射させる発射玩具が知られている。そして、この発射玩具においては、押進部材を押進待機位置に復帰させるためのスプリングが設けられている（例えば、特許文献１参照）。
【先行技術文献】
【特許文献】
【０００３】
【特許文献１】実用新案登録第３１６０２３３号公報
【考案の概要】
【考案が解決しようとする課題】
【０００４】
しかしながら、上記した特許文献１の技術では、押進部材を押進待機位置に復帰させるためにスプリングを使用していることから、スプリングを使用する分だけ部品点数が増えると共に、発射体の押圧時に押進部材をスプリングの付勢力に抗して操作しなければならないので、操作性が悪いという問題があった。
本考案は、簡易な構成で、しかも、操作性に優れた発射玩具を提供することを目的とする。
【課題を解決するための手段】
【０００５】
請求項１に記載の発射玩具は、
発射体と、前記発射体を装填するための装填部を有する玩具本体と、前記玩具本体に人為的に操作可能に設けられ、且つ、人為的な操作によって、前記装填部に装填された前記発射体を押圧して当該玩具本体の前方に発射させる押進部材とを備え、
前記押進部材は、
前記装填部に対して進退可能で、常態では、当該装填部から退行した押進待機状態を自重によって取るように構成され、人為的な操作によって、当該装填部に進出し、当該装填部に装填された前記発射体を押圧するように構成されていることを特徴とする。
【０００６】
請求項２に記載の発射玩具は、
発射体と、前記発射体を装填するための装填部を有する玩具本体と、前記玩具本体に人為的に操作可能に設けられ、且つ、人為的な操作によって、前記装填部に装填された前記発射体を押圧して当該玩具本体の前方に発射させる押進部材とを備え、
前記押進部材は、
前記装填部に対して進退可能で、常態では、当該装填部に進出した状態を自重によって取るように構成され、前記発射体が前記装填部へ装填される際の当該発射体の摺接によって、当該装填部から退行した押進待機状態を取り、その後の人為的な操作によって、当該装填部に進出し、当該装填部に装填された前記発射体を押圧するように構成されていることを特徴とする。
【０００７】
請求項３に記載の発射玩具は、請求項２に記載の発射玩具において、前記装填部には、前記発射体の自重によって当該発射体が装填されるように構成されていることを特徴とする。
【０００８】
請求項４に記載の発射玩具は、請求項１から３いずれか一項に記載の発射玩具において、前記発射体を弾き出す弾き片を少なくとも１つ備え、前記弾き片は、前記押進部材によって押圧された前記発射体の初期移動に伴う当該発射体の摺接によって弾性変形し、当該押進部材によって押圧された当該発射体のさらなる移動に伴う弾性復帰力によって当該発射体を弾き出すことを特徴とする。
【０００９】
請求項５に記載の発射玩具は、請求項１から４いずれか一項に記載の発射玩具において、前記押進部材は、所定の水平軸を中心に回動可能な振り子として構成されていることを特徴とする。
【００１０】
請求項６に記載の発射玩具は、請求項５に記載の発射玩具において、前記押進部材は、側面視で扇状に形成され、扇の要に相当する部分で所定の水平軸を中心に回動可能となっており、扇の一辺側に相当する部分に操作部が形成され、押進待機状態にあるとき、前記操作部は、水平、又は自由端側に向けて下り勾配となっていることを特徴とする。
【００１１】
請求項７に記載の発射玩具は、請求項６に記載の発射玩具において、前記押進部材は、人為的な操作によって、前記操作部が鉛直となる位置まで回動可能に構成されていることを特徴とする。
【考案の効果】
【００１２】
請求項１に記載の発射玩具によれば、押進部材は、常態では、装填部から退行した押進待機状態を自重によって取るように構成されているので、押進部材に押進待機状態を取らせるためのスプリングが不要となることから、部品点数を減少させることができると共に、押進部材の操作性が向上することになる。
また、請求項２に記載の発射玩具によれば、押進部材は、発射体が装填部へ装填される際の当該発射体の摺接によって、当該装填部から退行した押進機状態を取るように構成されているので、押進部材に押進待機状態を取らせるためのスプリングが不要となることから、部品点数を減少させることができると共に、押進部材の操作性が向上することになる。
また、請求項３に記載の発射玩具によれば、発射体の自重によって当該発射体が装填部に装填されるように構成されているので、装填部への発射体の装填が簡単に行えることになる。
また、請求項４に記載の発射玩具によれば、弾き片の弾性復帰力によって発射体を弾き出すので、勢いよく発射体を発射させることができる。
また、請求項５に記載の発射玩具によれば、押進部材は振り子として構成されているので、直動の押進部材に比べて、操作性に優れると共に玩具本体からの押進部材の突出量を少なくすることができる。
また、請求項６に記載の発射玩具によれば、押進部材は扇状で、押進待機状態で、操作部が水平、又は自由端側に向けて下り勾配を有するので、操作性が良いものとなる。
また、請求項７に記載の発射玩具によれば、押進部材は操作部が鉛直となる位置まで回動可能となっているので、大きなストロークを生み出すことができ、発射体を効果的に発射させることができる。
【図面の簡単な説明】
【００１３】
【図１】図１は、発射玩具の全体構成を示す斜視図である。
【図２】図２は、図１の発射玩具の玩具本体を背面側から見た場合の斜視図である。
【図３】図３は、取付けフレーム及び一部の周辺部材を背面側から見た場合の斜視図である。
【図４】図４は、押進部材を前方側から見た場合の斜視図である。
【図５】図５は、押進部材を後方側から見た場合の斜視図である。
【図６】図６は、押進部材の動作を説明するための側面図である。
【図７】図７は、取付けフレーム及び一部の周辺部材の平面図である。
【図８】図８は、押進部材、一対の弾き片及びガイド部材を正面側から見た場合の斜視図である。
【考案を実施するための形態】
【００１４】
以下、図面を参照して、本考案の発射玩具を実施するための形態について説明する。なお、この実施の形態によって本考案が限定されるものではない。
【００１５】
図１は、発射玩具の全体構成を示す斜視図である。また、図２は、図１の発射玩具の玩具本体を背面側から見た場合の斜視図である。
この発射玩具１００は、玩具本体１０と、発射体である球体５０とを備えている。このうち玩具本体１０は片手で携帯可能な大きさで、全体がロボットの姿態を有している。球体５０としては、例えば、金属球、プラスチック球又はガラス球が使用される。
そして、この発射玩具１００においては、玩具本体１０の背側の装填口１１から球体５０を玩具本体１０の内部に投入し、操作部材である押進部材１２を指で押圧操作することによって、玩具本体１０の前側の発射口１３から球体５０を前方に発射させるように構成されている。
以下、この発射玩具１００の詳細を説明する。
【００１６】
図３は、取付けフレーム及び一部の周辺部材を背面側から見た場合の斜視図である。玩具本体１０は取付けフレーム１４を備えている。この取付けフレーム１４には、頭部１５、胴部１６、左右の腕部１７，１７、脚部１８その他の付属部品が取り付けられている。そして、玩具本体１０の内部には、一端が玩具本体１０の背側の装填口１１に連通し、他端が玩具本体１０の前側の発射口１３に連通する球体５０用の通路が形成されている。そして、玩具本体１０の背側の装填口１１から投入した球体５０は下腹部の装填部１９に装填され（図６参照）、押進部材１２の押圧操作によって、玩具本体１０の前側の発射口１３から発射されるようになっている。
【００１７】
押進部材１２はこの取付けフレーム１４に取り付けられている。図４は、押進部材を前方側から見た場合の斜視図、図５は、押進部材を後方側から見た場合の斜視図である。この押進部材１２は、側面視で扇状に形成されている。この押進部材１２は、扇の要に相当する部分に付設された水平軸１２ａ，１２ａを中心に鉛直面内で回動可能となっている。この押進部材１２は、幅方向に隔離された２枚の扇状板部１２ｂ，１２ｂと、この２枚の扇状板部１２ｂ，１２ｂの弧状側部分を互いに連絡する板部１２ｃと、扇の一辺側に相当する部分に位置し２枚の扇状板部１２ｂ，１２ｂの双方に連絡された平板部１２ｄとを備えている。板部１２ｃの前縁は内方に凹となるように切欠かれている。
このうち、２枚の扇状板部１２ｂ，１２ｂの前縁の一部と弧状板部１２ｃの前縁とは、球体５０を押圧するための押圧部Ａを構成し、２枚の扇状板部１２ｂ，１２ｂの後縁に付設された平板部１２ｄは、押進部材１２を押圧操作する際の指当て部Ｂを構成している。この指当て部Ｂは、押進待機状態で、側面視で自由端側に向けて下り勾配を有するので、操作性が良いものとなる。
なお、各扇状板部１２ｂ，１２ｂの外面には、水平軸１２ａと同心的に弧状の突起１２ｆが形成されている。この突起１２ｆは、玩具本体１０に形成された図示しない弧状の溝に係合している。
また、指当て部Ｂを押進待機状態で、側面視で自由端側に向けて下り勾配を有するように構成したが、水平となるように構成してもよい。指当て部Ｂは、押進待機状態で、側面視で自由端側に向けて上り勾配を有する場合には操作性に多少支障がでるが、水平であれば操作性に支障は無い。また、指当て部Ｂは、側面視で鉛直となる位置まで回動可能とすれば、大きなストロークを生み出すことができ、球体５０を効果的に発射させることができる。
【００１８】
図６は、押進部材の動作を説明するための側面図である。押進部材１２は、当該押進部材１２の水平軸１２ａ，１２ａを中心とする回動によって、装填部１９に対して進退可能となっている。この押進部材１２は、図６（Ａ）に示すように、装填部１９に球体５０が装填されていないときには、当該押進部材１２の自重によって、装填部１９に進出した状態を取る。そして、押進部材１２は、球体５０が上から落下してくると、２枚の扇状板部１２ｂ，１２ｂの前縁の一部が落下してくる球体５０に摺接し、球体５０の装填時には、図６（Ｂ）に示すように、押進部材１２は、装填部１９から退行した押進待機状態を取る。
なお、ここでは、押進部材１２は、落下してくる球体５０との摺接によって押進待機状態となるように構成されているが、押進部材１２の自重によって、初めから装填側の通路から退行した押進待機状態となるように構成されていてもよい。また、押進部材１２は、側面視で扇状に形成されているが、直棒状又は直板状に形成され、装填部１９に対して進退する方向に直動するように構成されていてもよい。
【００１９】
装填部１９の発射側通路の床にはガイド部２０が設けられている。「発射側の通路」とは装填部１９から見て発射口１３寄りの通路を言う。このガイド部２０の後端部は、球体５０を装填部１９に留め置くことができるように弧状に切欠かれている。そして、このガイド部２０は玩具本体１０の前後方向に延設されている。このガイド部２０は、装填部１９の近くに平坦な頂点部を有し、その前後に上面が凹となるような弧状の稜線を有する形状となっている。そして、ガイド部２０は、押進部材１２によって球体５０が前方に押し出される際、球体５０を僅かばかり上昇させて、球体５０を一対の弾き片２１，２１に効果的に摺接させるようになっている。
【００２０】
図７は、取付けフレーム及び一部の周辺部材の平面図、図８は、押進部材、一対の弾き片及びガイド部材を正面側から見た場合の斜視図である。
玩具本体１０には一対の弾き片２１，２１が設けられている。この一対の弾き片２１，２１は、発射側通路の左右の所定高さ位置に設けられている。この一対の弾き片２１，２１は、正面視で上方に凹となるように湾曲され装填部１９の床を構成する湾曲部材２２によって互いに連絡されている。なお、一対の弾き片２１，２１は、装填部１９の床を構成する湾曲部材２２以外の部材によって互いに連結されていてもよい。各弾き片２１の先端には円柱状の摺接片２１ａが付設されている。
図７に示すように、一対の弾き片２１，２１は、平面視で、装填部１９に存在する球体５０を後方から抱える状態で保持可能な構成となっている。すなわち、各弾き片２１の前部は、発射側通路に進出するように内方に湾曲した状態となっている。そして、一対の弾き片２１，２１は、押進部材１２により球体５０が押し出される際に、摺接片２１ａ，２１ａが球体５０の前半部に摺接し、初めは通路から退行して外方に弾性変形し、球体５０の前半部が摺接片２１ａを通過した際に、今度は弾性復帰力によって球体５０を弾き出す。このようにして、球体５０は玩具本体１０の発射口１３から威勢良く発射される。
なお、弾き片は一対でなくてもよく、１つ又は３つ以上であってもよい。
【００２１】
このように構成された発射玩具１００によれば次のような効果が得られる。
すなわち、押進部材１２を押進待機状態まで戻すのに、従来の技術とは異なりスプリングを必要としないので、部品点数を少なくすることができる。
また、球体５０の自重によって当該球体５０が装填部１９に装填されるように構成されているので、装填部１９への球体５０の装填が簡単に行えることになる。
また、一対の弾き片２１，２１の弾性復帰力によって球体５０を弾き出すので、勢いよく球体５０を発射させることができる。
また、押進部材１２が振り子として構成されている場合、直動の押進部材に比べて、操作性に優れると共に玩具本体１０からの押進部材の突出量を少なくすることができる。
また、押進部材１２は扇状で、押進待機状態で、指当て部Ｂが側面視で自由端側に向けて下り勾配を有するので、操作性が良いものとなる。
また、押進部材１２の指当て部Ｂが側面視で鉛直となる位置まで回動可能とすれば、大きなストロークを生み出すことができ、球体５０を効果的に発射させることができる。
【００２２】
以上、本考案の実施形態について説明したが、本考案は、かかる実施形態に限定されず、要旨を変更しない範囲で種々変形が可能であることは言うまでもない。
例えば、上記実施形態では、発射体として球体５０を挙げたが、発射体は円板でもよいし、円柱体であってもよい。
また、上記実施形態では、球体５０を玩具本体１０の背側の装填口１１に直接投入するように構成したが、装填口１１に球体５０が多数入ったマガジンを取り付け、このマガジンから球体５０を連続的に投入するようにしてもよい。
【符号の説明】
【００２３】
１００      発射玩具
１２      押進部材
１０      玩具本体
１１      装填口
１３      発射口
１９      装填部
２１      弾き片
５０      球体
0003187415.tif 000003
【手続補正書】
【提出日】平成25年10月1日(2013.10.1)
【手続補正１】
【補正対象書類名】図面
【補正対象項目名】全図
【補正方法】変更
【補正の内容】
【図１】
0003187415.tif 000004
【図２】
0003187415.tif 000005
【図３】
0003187415.tif 000006
【図４】
0003187415.tif 000007
【図５】
0003187415.tif 000008
【図６】
0003187415.tif 000009
【図７】
0003187415.tif 000010
【図８】
0003187415.tif 000011